(57)【要約】【課題】  機器の組み立ての容易さと、挿入孔からの抜けにくさとを両立した取付部材や、機器を提供すること【解決手段】  上記目的を達成するために、本発明は、孔を有する第一の部材と、前記第一の部材に取り付けられる第二の部材と、を有する機器であって、前記第二の部材は取付部材を有しており、前記取付部材は、互いに異なる方向に延びる第一、二の抜け止め部、根元部、およびストッパ部を有し、前記根元部は前記第二の部材に接続され、前記第一、二の抜け止め部及び前記ストッパ部が、前記孔に挿入されており、前記第一もしくは二の抜け止め部の少なくとも一方と、前記ストッパ部および根元部を含む面に投影される形状において、前記第一、二の抜け止め部及び前記ストッパ部それぞれの最大幅の和が、前記孔の最大幅よりも大きいことを特徴とする。【選択図】  図４
2018173597.tif 000002
【特許請求の範囲】
【請求項１】
孔を有する第一の部材と、前記第一の部材に取り付けられる第二の部材と、を有する機器であって、前記第二の部材は取付部材を有しており、
前記取付部材は、互いに異なる方向に延びる第一、二の抜け止め部、根元部、およびストッパ部を有し、
前記根元部は前記第二の部材に接続され、
前記第一、二の抜け止め部及び前記ストッパ部が、前記孔に挿入されており、
前記第一もしくは二の抜け止め部の少なくとも一方と、前記ストッパ部および根元部を含む面に投影される形状において、前記第一、二の抜け止め部及び前記ストッパ部それぞれの最大幅の和が、前記孔の最大幅よりも大きい
ことを特徴とする機器。
【請求項２】
前記取付部材は、
弾性変形可能であって互いに異なる方向に延びる四つの延出部を備える基部を有し、
第一、二の延出部に第一、二の抜け止め部を有し、第三の延出部に前記第二の部材が接続する根元部を有し、第四の延出部にストッパ部を有していることを特徴とする請求項１に記載の機器。
【請求項３】
前記第一もしくは二の抜け止め部の少なくとも一方が、前記ストッパ部と一体である請求項１に記載の機器。
【請求項４】
前記根元部の延長線上に、前記ストッパ部を有することを特徴とすることを特徴とする請求項１乃至３のいずれか一項に記載の機器。
【請求項５】
前記取付部材は、前記第二の部材と一体であることを特徴とする請求項１乃至４のいずれか一項に記載の機器。
【請求項６】
前記取付部材の前記第一、二の抜け止め部、前記根元部、および前記ストッパ部が同一面内にない
ことを特徴とする請求項１乃至５のいずれか一項に記載の機器。
【請求項７】
前記第二の部材がカバー部を有する蓋であり、
前記取付部材の少なくとも一部が弾性変形可能であり、ヒンジ機能を兼ねている
ことを特徴とする請求項１乃至６のいずれか一項に記載の機器。
【請求項８】
前記第一の部材は電源供給部を有する電子機器であることを特徴とする請求項１乃至７のいずれか一項に記載の機器。
【請求項９】
前記第一の部材はレンズと、前記電源供給部によって駆動される駆動部と、を更に有する光学機器であることを特徴とする請求項８に記載の機器。
【請求項１０】
前記第一、二の抜け止め部、前記根元部、および前記ストッパ部が弾性変形可能であることを特徴とする請求項１乃至９のいずれか一項に記載の機器。
【請求項１１】
第二の部材と接続されており、第一の部材の孔に挿入されることによって、前記第一の部材に前記第二の部材を取り付ける取付部材であって、
前記取付部材は、少なくとも一部の領域で弾性変形可能であって、互いに異なる方向に延びる第一、二の抜け止め部、および前記第二の部材に接続する根元部を有しており、
前記根元部から前記第二の部材の逆に向かう方向を第一の方向、前記根元部から前記第二の部材に向かう方向を第二の方向とするとき、
前記取付部材は、
前記第一の抜け止め部を前記第一の方向に延出させ、前記第二の抜け止め部を前記第二の方向に延出させる第一の形態と、
前記根元部を前記第二の方向に延出させ、前記第一及び第二の抜け止め部を前記第一の方向に延出させつつ、弾性変形可能な範囲で互いに接近させた第二の形態と、
をとることができ、前記第二の形態における前記根元部を除いた前記取付部材の最大幅は、前記第一の形態における前記根元部を除いた前記取付部材の最大幅よりも大きい
ことを特徴とする取付部材。
【請求項１２】
前記取付部材は前記第一の方向に延びるストッパ部を更に有し、
前記ストッパ部は、
前記第一の形態において前記第一の抜け止め部と互いに接近し、
前記第二の形態において前記第一及び第二の抜け止め部と弾性変形可能な限りで接近することを特徴とする請求項１１に記載の取付部材。
【請求項１３】
前記根元部の延長線上に前記ストッパ部を有することを特徴とする請求項１２に記載の取付部材。
【請求項１４】
前記第一の形態が、前記取付部材を前記第一の部材の孔に挿入するときの形態であることを特徴とする請求項１１乃至１３のいずれか一項に記載の取付部材。
【請求項１５】
孔を有する第一の部材と、
前記第一の部材と分離しており、請求項１１乃至１４のいずれか一項に記載の取付部材を有する第二の部材と、を有する
ことを特徴とする機器。
【請求項１６】
前記第一の部材は電源供給部を有する電子機器であることを特徴とする請求項１５に記載の機器。
【請求項１７】
前記第一の部材はレンズと、前記電源供給部によって駆動される駆動部と、を更に有する光学機器であることを特徴とする請求項１６に記載の機器。
【請求項１８】
機器の組み立て方法であって、
孔が設けられた第一の部材と、第二の部材と、前記第二の部材と一体的に構成されており、少なくとも一部の領域で弾性変形可能であって、互いに異なる方向に延びる第一、二の抜け止め部、および前記第二の部材に接続する根元部を有する取付部材と、を用意する工程と、
前記根元部から前記第二の部材の逆に向かう方向を第一の方向、前記根元部から前記第二の部材に向かう方向を第二の方向とするとき、
前記取付部材を、前記第一の抜け止め部を前記第一の方向に延出させ、第二の抜け止め部を前記基部と接近させて第二の方向に延出させる第一の形態とした状態で、前記孔に挿入する工程と、
を備えており、
前記取付部材は、前記第一の形態と、
前記根元部を前記第二の方向に延出させ、前記第一及び第二の抜け止め部を前記第一の方向に延出させつつ、弾性変形可能な範囲で互いに接近させた第二の形態と、
をとることができ、前記第二の形態における前記根元部を除いた前記取付部材の最大幅は、前記第一の形態における前記根元部を除いた前記取付部材の最大幅よりも大きい
ことを特徴とする機器の組み立て方法。
【発明の詳細な説明】
【技術分野】
【０００１】
本発明は、機器の孔に取り付けられる取付部材、及びこれを有する部材（例えば蓋等）、機器（特に電子機器、光学機器）に関する。例えば双眼鏡の電源供給部を覆う蓋の取付部材に関するものである。
【背景技術】
【０００２】
従来、機器（特に電子機器、光学機器）の蓋はヒンジにより機器本体に取り付けられている。これにより、蓋が機器本体から脱落し辛くなっている。一方、より簡易な構成で、コストやスペースを削減するために、蓋に抜け止め部材を設ける提案がなされている。
【０００３】
特許文献１は、蓋に設けられる弾性変形可能な抜け止め部材の先端が、本体に設けられた孔状の凸条片および突起部に取り付く抜け止めを開示している。
【先行技術文献】
【特許文献】
【０００４】
【特許文献１】特開平７−２５７６１７号公報
【発明の概要】
【発明が解決しようとする課題】
【０００５】
しかしながら特許文献１の抜け止め部材は弾性変形可能であるため、ヒンジに比べて抜けやすい。一方、抜け止め部材の弾性係数を大きくしたり、係合する面積を増やしたりして抜けにくくすると、機器本体に組み辛くなる。
【０００６】
そこで、本発明の目的は、機器の組み立ての容易さと、挿入孔からの抜けにくさとを両立した取付部材や、この取付部材を有する部材（例えば蓋等）、機器（特に電子機器、光学機器）を提供することである。
【課題を解決するための手段】
【０００７】
上記目的を達成するために、本発明は、孔を有する第一の部材と、前記第一の部材に取り付けられる第二の部材と、を有する機器であって、前記第二の部材は取付部材を有しており、前記取付部材は、互いに異なる方向に延びる第一、二の抜け止め部、根元部、およびストッパ部を有し、前記根元部は前記第二の部材に接続され、前記第一、二の抜け止め部及び前記ストッパ部が、前記孔に挿入されており、前記第一もしくは二の抜け止め部の少なくとも一方と、前記ストッパ部および根元部を含む面に投影される形状において、前記第一、二の抜け止め部及び前記ストッパ部それぞれの最大幅の和が、前記孔の最大幅よりも大きいことを特徴とする。
【発明の効果】
【０００８】
本発明によれば、機器の組み立ての容易さと、挿入孔からの抜けにくさとを両立した取付部材や、この取付部材を有する部材（例えば蓋等）、機器（特に電子機器、光学機器）を提供することができる。
【図面の簡単な説明】
【０００９】
【図１】実施例１の電池蓋と電池室の展開斜視図
【図２】実施例１の電池蓋を閉じた時の双眼鏡の底面図
【図３】実施例１の電池蓋を開いた時の双眼鏡の底面図
【図４】実施例１の電池蓋を開いた時の双眼鏡の側面図
【図５】実施例１の挿入孔を双眼鏡の底面から見た部分拡大図
【図６】実施例１の取付部を側面から見た部分拡大図
【図７】実施例１の取付部と挿入孔の断面図
【図８】基部の範囲の概念図
【図９】実施例１の取付部を挿入する時（第一の形態）の断面図
【図１０】挿入孔の最大幅を示す概念図
【図１１】実施例１の取付部の抜け止め機能時（第二の形態）の断面図
【図１２】実施例２の取付部を側面から見た部分拡大図
【図１３】実施例２の取付部と挿入孔の断面図
【図１４】実施例２の取付部を挿入する時（第一の形態）の断面図
【図１５】実施例２の取付部の抜け止め機能時（第二の形態）の断面図
【発明を実施するための形態】
【００１０】
以下に、本発明の好ましい実施の形態を、添付の図面に基づいて詳細に説明する。
【実施例１】
【００１１】
はじめに、本発明の第一の実施例である双眼鏡（機器、電子機器、光学機器）の電池室を覆う電池蓋について説明する。図１は、双眼鏡の電源供給部である電池室１０２の部分と、電池蓋である電池蓋１０３の展開斜視図である。図２、図３は、電池蓋１０３を取り付けた双眼鏡の底面図である。図２は電池蓋１０３を閉じた時を示している。図３は電池蓋１０３を開いた時を示している。図４は電池蓋１０３を開いた時の双眼鏡の側面図である。
【００１２】
機器の本体部分にあたる双眼鏡１０１の底面には、電池を収納する電池室１０２が設けられている。また、電池室１０２を覆う電池蓋１０３は、取付部材１０３ａと、それ以外のカバー部１０４を有している。本実施形態においては、電池室１０２を有する双眼鏡１０１の電池蓋１０３以外の部分、すなわち本体部分を第一の部材とする。本実施形態においては、このカバー部１０４を、第二の部材とする。
【００１３】
双眼鏡は、分離した第一の部材と第二の部材を組み立てて成る。なお、本実施形態のように、第一の部材が機器の本体部分である必要はない。例えば第二の部材が本体等の主たる部分、第一の部材がそれ以外の部分の関係にある機器でも本実施形態は実施可能である。また、第一の部材が機器全体である必要もない。例えば、機器の中に設けられる一つの系を第一の部材の単位としてもよい。また、第一の部材、第二の部材はそれぞれ一つ以上であってもよい。
【００１４】
本実施形態における双眼鏡１０１は、左右一対の対物光学系、左右一対の正立光学系、および左右一対の接眼光学系を有する光学機器である。また本実施形態における双眼鏡１０１は、対物光学系を駆動させて手振れを補正する防振機構を備えた電子機器でもある。
【００１５】
本実施形において、電池室１０２はこの光学系の駆動のために駆動部に電源を供給する、電源供給部である。なお電源の供給先は防振機構に限られない。例えば対物光学系を光軸方向に調整するフォーカス機構を有するが、この駆動源として用いられてもよい。駆動源に限らず、情報表示のためのディスプレイ等に用いられてもよい。
【００１６】
双眼鏡１０１に固定された電池室１０２は、挿入孔１０２ａを有する。この挿入孔１０２ａには、電池蓋１０３に接続した取付部材１０３ａが弾性変形しながら挿入される。これによって、電池蓋１０３が双眼鏡１０１本体（第一の部材）に取り付けられる。
【００１７】
取付部材１０３ａは抜け止めの機能を備えているので、図４のように電池蓋１０３を開いた時であっても、電池室１０２と接続した状態を保つことができる。また図４に示すように電池蓋１０３を開くとき、その取付部材１０３ａは弾性部材からなるので、ヒンジとして機能する。
【００１８】
次に挿入時、および抜け止め機能時の本実施形態を説明する。
【００１９】
図５は、取付部材（不図示）を挿入する方向から、電池室１０２に設けられた挿入孔１０２ａを見た図である。本実施形態における双眼鏡の、電池室の底にあたる。本実施形態では、挿入孔１０２ａの形状は楕円形状であるが、形状はこれに限られない。例えば、矩形、正方形、矩形の四隅にＲを備えた形状、丸の二方取り形状でもよい。
【００２０】
図５に示すように、挿入孔１０２ａの最大幅をＡ、最小幅をＢとする。本実施形態では、長辺の長さがＡ、短辺の長さがＢとなる。例えば、挿入孔１０２ａの形状を矩形にすると、挿入孔１０２ａの最大幅はその対角線の長さに相当する。例えばＡとＢがほぼ等しい場合にも、本発明は適用可能である。例示したように単純な形状でなくても、十字形や、多角形や、非対称の形状の孔でも本発明は適用可能である。この場合は、孔形状の内部にひくことのできる線分のうち、最大のものを最大幅、最小のものを最小幅として扱う。
【００２１】
図６では、挿入孔（不図示）に挿入された状態の電池蓋１０３の取付部材１０３ａを側面から見ている。この図における取付部材１０３ａの厚み寸法をＥとする。
【００２２】
図７は、電池室１０２の挿入孔１０２ａに電池蓋１０３の取付部材１０３ａが挿入された状態を示している。図６のＦ−Ｆ断面で切った断面図に相当する。
【００２３】
図７に示すように、本実施形態の取付部材１０３ａは、互いに異なる方向に延びる第一の抜け止め部２０１ａ、第二の抜け止め部２０２、根元部２０４、およびストッパ部２０１ｂを有している。本実施形態では、第一の抜け止め部２０１ａ、第二の抜け止め部２０２は互いに左右に延びている。
【００２４】
取付部材１０３ａにおいて、第一の抜け止め部２０１ａ、第二の抜け止め部２０２、根元部２０４、およびストッパ部２０１ｂの各部が延出する起点となるの領域を、基部２０３と称する。基部２０３は、変形の基礎となる。本実施形態では、基部２０３は、各第一の抜け止め部２０１ａ、第二の抜け止め部２０２、根元部２０４、およびストッパ部２０１ｂの一部であり、各部の交点を含む領域である。
【００２５】
取付部材１０３ａは、幅の太い根元部２０４を経由して、カバー部１０４（第二の部材）に接続している。根元部２０４は、第二の部材（蓋）と接続する領域を示す。このことは形状を制限するものではなく、例えば径が変化しなくてもよい。応力集中を避けるためには、テーパ形状が望ましい。
【００２６】
別の観点では、取付部材１０３ａは、弾性変形可能で、互いに異なる方向に延びる四つの延出部を備える基部２０３を有している。そして、各延出部の先端に、第一の抜け止め部２０１ａ、第二の抜け止め部２０２、根元部２０４が接続されていると捉えることもできる。
【００２７】
また、取付部材１０３ａは、根元部２０４の反対側方向（電池蓋１０３および取付部材１０３ａの最も挿入孔１０２ａ側に相当する部分）にストッパ部２０１ｂを有している。本実施形態においては、根元部２０４（基部２０３）の延長線上に、ストッパ部２０１ｂ部が配置されている。
【００２８】
本実施形態では、電池蓋１０３におけるカバー部１０４、および取付部材１０３ａは一体的に弾性部材からなる（一部のみが弾性部材であっても構わない）。例えばゴムやエラストマー等で成形される。カバー部１０４、および取付部材１０３ａは接続していれば良く、別体を接着したものでもよい。単一の材質でも、複数の材質でもよい。コストの観点から、同一材質で成形するのが最も好ましいが、二色成形（異材質成形）で異なる材質を一体的に成形してもよい。
【００２９】
本実施形態においては取付部材１０３ａが一様にエラストマー、ゴム等で成形されるから、弾性変形することができる。すくなくとも基部２０３の領域は、弾性変形可能である必要がある。
【００３０】
弾性変形の観点から基部２０３の範囲を補足する。図７における基部２０３は両方の端部にストッパ部２０１ｂ、根元部２０４を有する部分である。この基部２０３の弾性変形により、挿入孔１０２ａへ挿入できる。更に、この基部２０３の弾性変形により、電池蓋１０３のヒンジ機能を果たすことができる。加えて、これに交差して、両方の端部に第一の抜け止め部２０１ａ、第二の抜け止め部２０２を有する領域の一部も弾性変形可能なので基部２０３に含まれる。
【００３１】
図８に基部２０３の範囲の概念図を示す。図８のハッチングされた領域が弾性変形可能であり、基部２０３にあたる。基部２０３は、本実施形態において４つの延出部を有する。第一の抜け止め部２０１ａは第一の延出部２０３ａに設けられる。第二の抜け止め部２０２は第二の延出部２０３ｂに設けられる。根元部２０４は第三の延出部２０３ｃに設けられる。ストッパ部２０１ｂは第四の延出部２０３ｄに設けられる。
【００３２】
本実施形態では、基部２０３の幅と第一の抜け止め部２０１ａ、第二の抜け止め部２０２、ストッパ部２０１ｂそれぞれの幅は均一である。なお、図８のようにこれらの幅が異なっても、本発明は実施可能である。また、少なくとも図８のハッチングされた領域が弾性変形可能であれば、本発明は実施可能である。
【００３３】
別の観点では、本実施形態における取付部材１０３ａは一様に弾性変形可能に構成されている。したがって、第一の抜け止め部２０１ａ、第二の抜け止め部２０２、ストッパ部２０１ｂ、根元部２０４は、基部２０３の機能を兼ねている。
【００３４】
以下、図９を参照しながら電池蓋の取り付け方、すなわち挿入孔１０２ａへ取付部材１０３ａを挿入する方法を説明する。図９は、電池蓋１０３の取付部材１０３ａを挿入する際の状態（第一の形態）を示す。図７と同じ位置で切った断面図である。実施例１においては、この断面は第一の抜け止め部２０１ａ、第二の抜け止め部２０２、根元部２０４、を含む面である。
【００３５】
本実施形態では、取付部材１０３ａを挿入孔１０２ａに挿入するとき（第一の部材に第二の部材を取り付けるとき）の状態を、第一の形態とする。
【００３６】
本実施形態においては、第一の抜け止め部２０１ａ、第二の抜け止め部２０２、ストッパ部２０１ｂのそれぞれが、基部２０３の領域も含めて円筒形状を有している。そして、前述した断面は、基部２０３、および第一の抜け止め部２０１ａ、第二の抜け止め部２０２の各円筒形状の中心軸を通る面である。したがって、この断面で表される形状は、第一の抜け止め部２０１ａ、第二の抜け止め部２０２、ストッパ部２０１ｂそれぞれの最大幅を示している。
【００３７】
第一の形態においては、双眼鏡の電池蓋以外の部分（第一の部材）と電池蓋のカバー部（第二の部材、不図示）を近づける方向に動かす。すなわち、図９における矢印Ｆの方向に動かす。以下ではこの方向を第一の方向として説明する。
【００３８】
本実施形態において第一の方向は、挿入孔１０２ａを有する第一の部材の、第二の部材側（カバー部１０４側）表面に、垂直な方向である。この方向は、第一の部材の、第二の部材側表面に垂直な方向に限られず、傾斜していてもよい。すなわち、挿入孔に対して斜めに挿入される取付部材においては、その方向を第一の方向とする。
【００３９】
逆に、第二の部材（不図示）の取付部材１０３ａを挿入孔１０２ａに取り外す方向は、本体と第二の部材（不図示）を離す方向である。つまり第一の方向とは反対の、図９に示す矢印Ｓの方向である。以下ではこの方向を第二の方向として説明する。
【００４０】
本実施形態において第二の方向は、前述した第一の方向と逆向きである。この方向は、第二の部材である電池蓋１０３の抜け得る方向のうち、代表的な方向である。第二の方向は、第一の方向の逆向きの方向成分を有していれば、第一の方向に対して傾斜していてもよい。そうすると、傾斜した方向に加わる力に対して抜け止め機能が発揮される。第二の方向は、第二の部材が抜け得る方向のうち、最大と想定される力の方向、あるいは最も頻繁に加わる力の方向と一致していることが好ましい。
【００４１】
取付部材１０３ａを挿入孔１０２ａに挿入する際には、使用者が第一の抜け止め部２０１ａとストッパ部２０１ｂに力をかけ、基部２０３を弾性変形させる。すなわち第一の方向に第一の抜け止め部２０１ａを延出させ、第一の方向に挿入部２０１を形成させる。この取付部材１０３ａの状態は、第一の形態である。基部２０３の変形に必要なのは曲げ応力であり、小さいので、容易に変形可能である。挿入孔１０２ａよりも取付部材１０３ａを小さくすれば挿入できる。これらの組を挿入部２０１と称する。
【００４２】
第一の抜け止め部２０１ａ（基部２０３）は弾性変形可能な限りであれば、変形させても後述する抜け止めの機能を発揮できる。実質的に弾性変形の範囲にある、すなわち復元力が残っていれば、第一の抜け止め部２０１ａが挿入後に挿入孔１０２ａよりも大きく復元できるためである。
【００４３】
図９に示した第一の形態は、第一の抜け止め部２０１ａ、ストッパ部２０１ｂが密着するまで変形した状態を示している。本実施形態における第一の形態は、基部２０３がストッパ部２０１ｂ部と第一の抜け止め部２０１ａを近づける方向に最大まで変形した状態を示している。このように基部２０３が弾性変形可能な限りで変形したときの、第一の形態における取付部材１０３ａの根元部２０４を除いた最大の幅をＣとする。本実施例においては、幅Ｃの値は第一の抜け止め部２０１ａの最大幅と、ストッパ部２０１ｂの最大幅の和と等しい。
【００４４】
幅Ｃを、図５における挿入孔１０２ａの最大幅以下にすると、挿入部２０１は挿入孔１０２ａを通過できる。すなわち、幅Ａ以下にすると（Ｃ≦Ａ）、挿入部２０１は挿入孔１０２ａを通過できる。本実施形態では、幅Ｃと幅Ａが実質等しい例を示している。この場合、幅Ａと幅Ｃがすきまばめの関係になるよう、適切な嵌め合い公差を設定することが望ましい。幅Ａを大きくして、基部２０３の変形量を抑え耐久性を向上させたり、挿入し易さを向上させたりしてもよい。幅Ａのとれる最大値は、後述する第二の形態によって決まる。
【００４５】
また、挿入孔１０２ａの縁にＲ形状や面取り形状等の誘い形状を設けて、挿入のしやすさを向上させてもよい。この場合の挿入孔の幅は、Ｒ形状（面取り形状）を除いた、挿入方向（第一の方向）に貫通している領域で判断する。言い換えれば、挿入孔の幅は挿入方向（第一の方向）に直交する面に投影した形状で判断する。
【００４６】
図１０を用いて上記を補足する。図１０は、挿入孔の縁にＲ形状を設けた場合の概念図であり、上面からみた図と、断面図で示している。図１０に例示した形状においては幅を貫通領域Ｈで判断する。言い換えれば、第一の方向Ｆに直交する面に投影された形状で判断する。これにより、最大幅はＡになる。
【００４７】
次いで、図９に示すように第二の抜け止め部２０２を第一の方向とは逆の第二の方向に変形させ、基部２０３と接近させる。すなわち第二の方向に第二の抜け止め部２０２を延出させる。本実施例では、第二の抜け止め部２０２と基部２０３が密着するまで変形することができる。
【００４８】
第二の抜け止め部２０２と基部２０３の幅の合計が挿入孔１０２ａの幅Ａよりも小さくなれば、取付部材１０３ａは、根元部２０４を除いて挿入孔１０２ａを通過することができる。すなわち、基部２０３の最大幅と第二の抜け止め部２０２の最大幅の和を、幅Ａよりも小さく設定している。本実施形態では、基部２０３、第一の抜け止め部２０１ａ、第二の抜け止め部２０２、ストッパ部２０１ｂの最大幅は等しく設定している。
【００４９】
なお、本実施例における根元部２０４の幅は、前述した幅Ｃに嵌め合う寸法を有する。これによって根元部２０４が挿入孔１０２ａと篏合し、気密性を向上させている。
【００５０】
第二の抜け止め部２０２（基部２０３）は弾性変形可能な限りであれば、変形させても後述する抜け止めの機能を発揮できる。実質的に弾性変形の範囲にある、すなわち復元力が残っていれば、第一の抜け止め部２０１ａが挿入後に挿入孔１０２ａよりも大きく復元できるためである。
【００５１】
つまり挿入完了後は、第一の抜け止め部２０１ａ、第二の抜け止め部２０２はほぼ図７の状態に戻る。このとき取付部材１０３ａの最大幅は、挿入孔１０２ａよりも大きい。これにより、抜け止め機能を発揮可能な状態になる。
【００５２】
次いで、図１１を参照しながら抜け止め機能について説明する。
【００５３】
図１１は、電池蓋１０３を引き抜こうとした際の取付部材１０３ａ状態（第二の形態）の例を示す。図７および図９と同じ位置で切った断面図である。電池蓋（不図示）の取付部材１０３ａを挿入孔１０２ａから引き抜く力は、本体と第二の部材（不図示）を離す方向に加わる。すなわち、第二の方向（矢印Ｓ）に加わる。
【００５４】
第二の方向に加わった力に対して、挿入孔１０２ａの周囲の壁面１０２ｂから第一の抜け止め部２０１ａ、第二の抜け止め部２０２に対し、第一の方向（矢印Ｆ）に反力が発生する。この反力によって第一の抜け止め部２０１ａ、第二の抜け止め部２０２は、基部２０３を第一の方向に変形させることになる。この取付部材１０３ａの状態は、第二の形態である。
【００５５】
図１１に示された状態では、基部２０３が、ストッパ部２０１ｂと第一の抜け止め部２０１ａ、第二の抜け止め部２０２が密着するまで変形している。換言すると、ストッパ部２０１ｂは、第一の抜け止め部２０１ａおよび第二の抜け止め部２０２を接続する基部２０３の第一の方向への曲げ弾性変形量を規定する作用を奏する。ストッパ部２０１ｂ等の微小な圧縮変形分を除くと、基部２０３はこれ以上変形することができない。
【００５６】
本実施形態では、第一の部材に対して第二の部材が抜け止め機能を発揮している状態のうち、基部２０３が弾性変形可能な限りで最大の変形をしている状態を、第二の形態とする。
【００５７】
この状態おいて、根元部２０４を除いた取付部材１０３ａの最大幅Ｄは、第一の抜け止め部２０１ａの最大幅と、ストッパ部２０１ｂの最大幅と、第二の抜け止め部２０２の和と等しい。
【００５８】
幅Ｄを、図５における挿入孔１０２ａの最大幅Ａよりも大きくすると（すなわちＡ＜Ｄ）、取付部材１０３ａは挿入孔１０２ａを通過できない。また、加わる力が大きくなったとしても、取付部材１０３ａが破断しない限り最大幅Ｄの縮小の余地は微小な圧縮変形の分だけであり、極めて小さいため、抜けにくい効果を奏する。
【００５９】
別の観点では、弾性変形できる限りで変形した第二の形態における根元部２０４を除いた最大幅Ｄが、第一の形態における根元部２０４を除いた最大幅Ｃより大きい必要がある。この関係により、容易な挿入と抜けにくさの向上が両立する。
【００６０】
なお、図６に示す取付部材１０３ａの厚みＥは、図５に示す挿入孔１０２ａの短辺長さＢに対し、挿入時には挿入孔１０２ａを通過することができ（Ｅ≦Ｂ）、かつ引き抜き時には余計なあそびがないことが望ましい。
【００６１】
取付部材１０３ａの厚み方向に余計なあそびがあると、抜け止め部に力が加わったとき、抜け止め部がそれぞれ厚み方向にずれる。この際にストッパ部に接触しないと、幅Ｄが小さくなり、抜け止め効果が低下する恐れがある。本実施例では、厚みＥと短辺長さＢが実質等しい。この場合、厚みＥと短辺長さＢがすきまばめの関係になるよう、適切な嵌め合い公差を設定することが望ましい。
【００６２】
なお取付部材１０３ａの材質の硬度、形状によっては、図１１のように、ストッパ部２０１ｂと完全に密着するまで基部２０３が弾性変形できるとは限らない。この場合、抜け止め部が実質弾性変形可能な限り（復元力の残る限り）まで変形させた時の、取付部材１０３ａの根元部を除いた最大幅Ｄは、各部の最大幅の和よりも大きくなる。この各部の最大幅とは、第一の抜け止め部２０１ａ、第二の抜け止め部２０２、ストッパ部２０１ｂの最大幅を指す。
【００６３】
このような実施形態においても、前述の関係を満たしていれば、同じく抜け止めの効果を発揮することができる。すなわち、第一の形態における最大幅Ｃが挿入孔１０２ａの幅Ａ以下であればよい。且つ、第二の抜け止め部２０２の形態における最大幅Ｄが幅Ａよりも大きければよい（Ｃ≦Ａ＜Ｄ）。ストッパ部２０１ｂがない構成でも、前述の条件を満たすことは可能である。そうすると本体の内部における省スペースに有利である。
【００６４】
したがって、本実施例における取付部材１０３ａを用いることによって、挿入孔からの抜けにくい取付部材や、この取付部材を有する蓋、機器（特に電子機器）を提供することができる。
【００６５】
また、本実施形態の双眼鏡（機器、電子機器、光学機器）の電池室を覆う電池蓋の組立方法は、以下の二工程で済む。
【００６６】
はじめの工程では、予め組み立てられた、孔を有する第一の部材（双眼鏡の電池蓋以外の部分）を用意する。また、前述の取付部材と一体的に構成された、第二の部材（電池蓋）を用意する。
【００６７】
次工程では、前記取付部材を、前記第一の抜け止め部を前記第一の方向に延出させ、第二の抜け止め部を前記基部と接近させて第二の方向に延出させた状態（すなわち、前述した第一の形態）で、前記孔に挿入する。その後は、取付部材の有する復元力により、自動的に抜け止め機能を発揮する状態になる。すなわち、少ない工程で容易に、本実施形態の双眼鏡の電池蓋の組立が完了する。
【００６８】
したがって、機器の組み立ての容易さと、挿入孔からの抜けにくさとを両立した取付部材や、この取付部材を有する部材（例えば蓋等）、機器（特に電子機器、光学機器）を提供することができる。
【００６９】
また、電池蓋である電池蓋１０３を開閉させるときは、基部２０３の曲げ変形をさせればよい。これは、前述の圧縮力に比べては非常に小さく、電池蓋１０３の操作を妨げない。すなわち、簡易な構成で蓋のヒンジ機能を兼ねることが可能である。
【００７０】
つまり、本実施例における取付部材１０３ａを用いることによって、本体に容易に組立可能であり、かつ第二の部材の操作を妨げずに挿入孔からの抜けにくさを向上させることができる。
【００７１】
更には、野外で使用する双眼鏡等の製品では、電池交換等の際に蓋が脱落し、紛失することを避けるため、蓋部に抜け止めが適用されることが多い。本発明によれば蓋を紛失する可能性を更に低減することができるので、野外で使用される用途の機器に好適である。
【実施例２】
【００７２】
次に、本発明の第二の実施例である双眼鏡の電池室の電池蓋について説明する。第二の実施例は、第一の実施例と取付部材の形状が異なる。したがって、それ以外の部分は実施例１に記載の発明と同様であり、説明は省略する。
【００７３】
図１２は、１０３ｂを側面から見た図である。この図における取付部材１０３ｂの厚み寸法をＥとする。
【００７４】
図１３は、挿入孔１０２ａに取付部材１０３ｂが挿入された状態を示している。図１２のＧ−Ｇ断面で切った断面図に相当する。
【００７５】
図１３示すように、実施例２における取付部材１０３ｂは、互いに左右に延びた第一の抜け止め部３０１、第二の抜け止め部３０２を有している。また、第一の抜け止め部２０１ａ、第二の抜け止め部２０２とは異なる方向であって、これらと交差する方向に延びる根元部３０４を有している。根元部３０４は、第二の部材（カバー部、不図示）に接続している。
【００７６】
これらは、弾性変形可能な領域を有する。後述の変形の基礎となる領域であり、基部３０３と称する。別の観点では、取付部材１０３ｂの基部２０３は、互いに異なる方向に延びる三つの延出部を備える。そして、各延出部の先端に、第一の抜け止め部３０１、第二の抜け止め部３０２、幅の太い根元部３０４が接続している、と捉えることもできる。
【００７７】
第一の実施例と同じく、取付部材１０３ｂと第二の部材は一体的に弾性部材からなる。例えばゴムやエラストマー等で成形される。カバー部１０４、および取付部材１０３ａは接続していれば良く、別体を接着したものでもよい。単一の材質ではなく、複数の材質から形成されていてもよい。
【００７８】
第一の実施例における取付部材とは異なり、本実施形態の取付部材１０３ｂは、基部２０３の延長線上に第一の抜け止め部３０１の一部が重なっている。すなわち、第一の実施例におけるストッパ部と、第一の抜け止め部３０１が一体であり、ストッパ機能を兼ねていることを特徴としている。
【００７９】
はじめに図１４を参照しながら取付部材１０３ｂの挿入孔１０２ａへの挿入の仕方を説明する。
【００８０】
図１４は、取付部材１０３ｂを挿入する際の状態の一例を示し、図１３と同じ位置で切った断面図である。実施例２においては、この断面は根元部３０４、および第一の抜け止め部３０１、第二の抜け止め部３０２を含む面である。
【００８１】
本実施形態でも同じく、取付部材１０３ｂを挿入孔１０２ａに挿入するとき（第一の部材に第二の部材を取り付けるとき）の状態を、第一の形態とする。
【００８２】
取付部材１０３ｂは断面を中心面とした面対称形状である。したがって、図１４の断面で表される形状は基部３０３、第一の抜け止め部３０１、第二の抜け止め部３０２それぞれの最大幅を示している。
【００８３】
取付部材１０３ｂの挿入の際には、はじめに第一の抜け止め部３０１を挿入する。必要に応じて、基部３０３を変形させる。図１４の状態において、取付部材１０３ｂの根元部３０４を除いた最大幅はＣになる。最大幅Ｃが、挿入孔１０２ａの最大幅Ａ以下であれば（すなわちＣ≦Ａであれば）第一の抜け止め部３０１挿入孔１０２ａを通過することができる。
【００８４】
次いで、第二の抜け止め部３０２を第一の方向とは逆の第二の方向に変形させ、基部３０３と接近させる。すなわち第二の方向に第二の抜け止め部３０２を延出させる。
【００８５】
本実施例では、第二の抜け止め部３０２と基部３０３（根元部３０４の一部）が密着するまで変形することができる。第二の抜け止め部３０２と基部３０３の幅の合計が挿入孔１０２ａの最大幅Ａよりも小さくなれば、取付部材１０３ｂは根元部３０４を除いて挿入孔１０２ａを通過することができる。すなわち、基部３０３の最大幅と第二の抜け止め部３０２の最大幅の和を、幅Ａよりも小さく設定している。
【００８６】
実施例１の場合と同じく、基部３０３は弾性変形可能な限りであれば、第二の抜け止め部３０２を変形させても後述する抜け止めの機能を発揮できる。実質的に弾性変形の範囲にある、すなわち復元力が残っていれば、第二の抜け止め部３０２は、挿入後に挿入孔１０２ａよりも大きく復元できるためである。
【００８７】
つまり挿入完了後は、第一の抜け止め部３０１、第二の抜け止め部３０２はほぼ図１３の状態に戻る。このとき取付部材１０３ｂの最大幅は、挿入孔１０２ａよりも大きい。これにより、抜け止め機能を発揮可能な状態になる。
【００８８】
次いで、図１５を参照しながら抜け止め機能について説明する。
【００８９】
図１５は、取付部材１０３ｂを引き抜こうとした際の状態（第二の形態）の一例を示す。図１３および図１４と同じ位置で切った断面図である。電池蓋（不図示）の取付部材１０３ｂを挿入孔１０２ａから引き抜く際には、第一の部材（双眼鏡等の機器、不図示）と第二の部材（カバー部、不図示）を離す方向に動かす。すなわち、第二の方向（矢印Ｓ）に動かす。
【００９０】
第二の方向に第二の部材（不図示）を引っ張ると、第一の抜け止め部３０１、第二の抜け止め部３０２に対して、挿入孔１０２ａの周囲の壁面１０２ｂから第一の方向（矢印Ｆ）に反力が加わる。これによって第一の抜け止め部３０１、第二の抜け止め部３０２（基部３０３）を図１５のように変形させることになる。
【００９１】
この取付部材１０３ｂの状態は、第二の形態である。すなわち、第一の抜け止め部３０１、第二の抜け止め部３０２が密着するまで変形している。換言すると第一の抜け止め部３０１は、第二の抜け止め部３０２（基部３０３）の第一の方向への曲げ弾性変形量を規定する作用を奏する。したがってそれらの微小な圧縮変形分を除くと、第二の抜け止め部３０２（基部３０３）はこれ以上変形することができない。
【００９２】
本実施形態では、第一の部材に対して第二の部材が抜け止め機能を発揮している状態のうち、第二の抜け止め部３０２（基部３０３）が弾性変形可能な限りで最大の変形をしている状態を、第二の形態とする。
【００９３】
第二の形態において、根元部３０４を除いた取付部材１０３ｂの最大幅Ｄは、第一の抜け止め部３０１の最大幅（すなわち最大幅Ｃ）と、第二の抜け止め部３０２の和よりもわずかに大きくなる。したがって、第一の抜け止め部３０１の最大幅（すなわち最大幅Ｃ）と、第二の抜け止め部３０２の和が、挿入孔１０２ａの最大幅Ａよりも大きければ、Ｄ＜Ａの関係が成立し、抜け止め機能を発揮することができる。
【００９４】
別の観点では、弾性変形可能な限りで変形した、第二の形態における根元部３０４を除いた最大幅Ｄが、第一の形態における根元部３０４を除いた最大幅Ｃより大きい必要がある。この関係により、容易な挿入と抜けにくさの向上が両立する。
【００９５】
以上に説明したように、本実施例における取付部材１０３ｂを用いることによって、本体に容易に組立可能であり、かつ第二の部材の操作を妨げずに抜去方向の力に対する挿入孔からの抜けにくさを向上させることができる。実施例２では、よりシンプルに取付部材を構成することができる。
【００９６】
以上、本発明の好ましい実施形態について説明したが、本発明はこれらの実施形態に限定されず、その要旨の範囲内で種々の変形及び変更が可能である。
【００９７】
本実施形態では基部、および第一の抜け止め部、第二の抜け止め部が同一面上にある例で説明したが、同一面内になくても同様の効果を発揮することができる。
【００９８】
本実施例では双眼鏡の例で説明したが、蓋は双眼鏡に取り付けられる代わりに、撮影光学系を備える一眼レフカメラ、コンパクトカメラ、ＴＶカメラ等の他、投影光学系を備える液晶プロジェクタ等の光学機器に取り付けられてもよい。
【００９９】
また例えば携帯電話、ＰＨＳ、スマートフォン、カメラ、ゲーム機等の一般的な電子機器であっても適応可能である。特に、携帯できる電子機器において適用すれば、蓋の紛失の可能性を更に減らすことができ、好適である。蓋の用途も、電源供給部の蓋に限られるものではなく、例えばレンズや、通信ケーブル用の接続端子やセキュリティワイヤー用のロック孔等を覆ってもよい。第二の部材も蓋に限られず、ストラップ等でもよい。
【符号の説明】
【０１００】
１０１  双眼鏡
１０２  電池室
１０２ａ  挿入孔
１０３  電池蓋
１０３ａ、１０３ｂ  取付部
１０４  カバー部（第二の部材）
２０１ａ、３０１  第一の抜け止め部
２０２、３０２  第二の抜け止め部
２０３、３０３  基部
２０１ｂ  ストッパ部
【図１】
2018173597.tif 000003
【図２】
2018173597.tif 000004
【図３】
2018173597.tif 000005
【図４】
2018173597.tif 000006
【図５】
2018173597.tif 000007
【図６】
2018173597.tif 000008
【図７】
2018173597.tif 000009
【図８】
2018173597.tif 000010
【図９】
2018173597.tif 000011
【図１０】
2018173597.tif 000012
【図１１】
2018173597.tif 000013
【図１２】
2018173597.tif 000014
【図１３】
2018173597.tif 000015
【図１４】
2018173597.tif 000016
【図１５】
2018173597.tif 000017